(57)【要約】      （修正有）【課題】従来の印刷装置は、印刷媒体の幅方向に適宜間隔を空けて４つ設けられている小型ローラーとペーパーホルダとの間に、印刷媒体の先端を差し込まなければならず作業が繁雑である。操作性に優れ、印刷媒体を配置し易い押さえ具等を提供する。【解決手段】搬送面上の印刷媒体を仮押さえする押さえ具であって、前記印刷媒体を仮押さえした保持状態と、前記保持状態が解除された解除状態と、を変更能な操作部を備え、前記搬送面の上方に設けられる構造体に取り外し可能に取り付けられる。【選択図】図２
2019167180.tif 000002
【特許請求の範囲】
【請求項１】
搬送面上の印刷媒体を仮押さえする押さえ具であって、
前記印刷媒体を仮押さえした保持状態と、前記保持状態が解除された解除状態と、を変更可能な操作部を備え、
前記搬送面の上方に設けられる構造体に取り外し可能に取り付けられることを特徴とする押さえ具。
【請求項２】
前記構造体に取り外し可能に取り付けられる取付部材と、
前記取付部材に揺動軸を介して支持され、前記操作部により、前記保持状態において位置する仮押さえ位置と前記解除状態において位置する解除位置との間で揺動可能な揺動部材と、
前記揺動部材及び前記取付部材の間に介設され、前記保持状態又は前記解除状態のいずれか一方の状態を維持すべく力を付勢する付勢部材と、を備え、
前記揺動部材は、前記解除状態のときには一方へ揺動することにより前記印刷媒体から離間し、前記保持状態のときには他方へ揺動することにより前記印刷媒体と接触する接触部を備えることを特徴とする請求項１に記載の押さえ具。
【請求項３】
前記付勢部材は、一端が前記取付部材に係止され、他端が前記揺動部材に係止される引張ばねであり、
前記揺動軸の軸方向から見て、前記付勢部材の両端が係止されている２点を結ぶ直線は、前記保持状態では前記揺動軸よりも前記押さえ位置側に位置し、前記解除状態では前記揺動軸よりも前記解除位置側に位置することを特徴とする請求項２に記載の押さえ具。
【請求項４】
前記取付部材は、前記構造体に対して磁石により取り付けられることを特徴とする請求項１〜３のいずれか一項に記載の押さえ具。
【請求項５】
請求項１〜４のいずれか一項に記載の押さえ具を備え、
前記押さえ具により押さえて配置された前記印刷媒体に印刷することを特徴とする印刷装置。
【発明の詳細な説明】
【技術分野】
【０００１】
本発明は、搬送面上の印刷媒体を仮押さえする押さえ具、及び押さえ具を備えた印刷装置に関する。
【背景技術】
【０００２】
印刷装置の中には、作業者が印刷装置の搬送面に予め印刷媒体をセットしてから印刷するものがある。このような印刷装置としては、例えば、印刷媒体を搬送するローラーと、このローラー上に印刷媒体を挟持するグリップローラーと、ワンウェイクラッチを備えた小型ローラーと、小型ローラーにばねにより上方から押圧されるペーパーホルダと、を有する印刷装置が知られている(特許文献１参照)。小型ローラーとペーパーホルダは、印刷媒体の搬送方向においてグリップローラーよりも上流側に設けられており、小型ローラーは、印刷媒体の幅方向に適宜間隔を空けて４つ設けられている。
【０００３】
印刷媒体を搬送するローラーとグリップローラー、及び、小型ローラーとペーパーホルダは各々、搬送方向における下流側に設けられているハンドルを段階的に操作することにより当接、及び、離隔可能に構成されている。
【０００４】
この印刷装置に印刷媒体をセットする際には、まず、印刷媒体を搬送するローラーとグリップローラー、及び、小型ローラーとペーパーホルダとを離隔した状態で、搬送方向の上流側から、印刷媒体の先端がグリップローラーよりも搬送方向における下流側に位置するように印刷媒体を手動で差し込む。次に、ハンドルを1段階回しペーパーホルダを小型ローラー側に移動して印刷媒体を押圧する。次に、ペーパーホルダにより印刷媒体を押圧している状態で、印刷媒体の微調整を行った後に、ハンドルをもう1段階回し、印刷媒体を搬送するローラーとグリップローラーとにより印刷媒体を挟持する。
【先行技術文献】
【特許文献】
【０００５】
【特許文献１】特開平５−１９３２２０号公報
【発明の概要】
【発明が解決しようとする課題】
【０００６】
上記のような従来の印刷装置は、印刷媒体の幅方向に適宜間隔を空けて４つ設けられている小型ローラーとペーパーホルダとの間に、印刷媒体の先端を差し込まなければならず作業が繁雑である。また、印刷媒体を搬送面上に配置した後に、搬送方向の下流側に設けられているハンドルを操作しなければならないため、印刷媒体が滑り落ちないように上流側では一方の手で印刷媒体を押さえつつ、他方の手で下流側に設けられたハンドルを操作しなければならず操作性が悪いという課題がある。
【０００７】
本発明は、かかる課題に鑑みてなされたものであり、その目的とするところは、操作性に優れ、印刷媒体をセットし易い押さえ具及び印刷装置を提供することにある。
【課題を解決するための手段】
【０００８】
上記目的を達成するための主たる発明は、搬送面上の印刷媒体を仮押さえする押さえ具であって、前記印刷媒体を仮押さえした保持状態と、前記保持状態が解除された解除状態と、を変更可能な操作部を備え、前記搬送面の上方に設けられる構造体に取り外し可能に取り付けられることを特徴とする押さえ具である。
本発明の他の特徴については、後述する明細書及び図面の記載により明らかにする。
【発明の効果】
【０００９】
本発明によれば、操作性に優れ、印刷媒体をセットし易い押さえ具及び印刷装置を提供することができる。
【図面の簡単な説明】
【００１０】
【図１】本発明の一実施形態に係る押さえ具が用いられる印刷装置を示す図である。
【図２】印刷装置に取り付けられた押さえ具を示す断面図である。
【図３】印刷装置に取り付けられた押さえ具を上流側から見た図である。
【図４】図３におけるＡ部の拡大図である。
【図５】押さえ具を上流側から見た斜視図である。
【図６】押さえ具を下流側から見た斜視図である。
【図７】解除状態の押さえ具を揺動軸に沿う方向から見た図である。
【図８】保持状態の押さえ具を揺動軸に沿う方向から見た図である。
【図９】押さえ具による搬送面側への付勢状態を説明するための模式図である。
【発明を実施するための形態】
【００１１】
以下、図面を参照して、本発明の実施形態について説明する。
本実施形態の押さえ具は、幅広の用紙などの大判の印刷媒体に印刷可能な印刷装置に、予め印刷媒体をセットする際等に用いられる。本実施形態においては、印刷装置の一例として、例えば、図１に示すようなインクジェット方式の印刷装置１を例に挙げて説明する。
【００１２】
以下の説明においては、印刷装置１が設置された状態で、上下となる方向を上下方向、印刷装置１において印刷媒体２が搬送される方向を搬送方向、搬送方向と直交し印刷媒体２の幅方向を幅方向または後述するキャリッジ１０が走査する走査方向として示す。印刷装置１の各部位であっても、また、印刷装置１を構成する各部材については単体の状態であっても、印刷装置１が設置されている状態にて上下方向、搬送方向、幅方向または走査方向にて方向を特定して説明する。また、搬送方向においては、インクを吐出して印刷を行う印刷領域に対し、印刷媒体２を供給する側を上流側、印刷媒体２を排出する側を下流側として説明する。
【００１３】
＝＝印刷装置＝＝
印刷装置１は、例えば、図１、図２に示すように、印刷ヘッド１０ａと、キャリッジ１０と、レールユニット１１と、ベッドユニット１２と、上流側ガイド１３と、下流側ガイド１４と、駆動ローラー１５と、ピンチローラー１６と、を有している。
【００１４】
印刷ヘッド１０ａは、印刷媒体２と対向し、印刷媒体２に向けてインクを吐出可能な部材であり、レール１７に案内されて走査方向に往復移動するキャリッジ１０に搭載されている。
【００１５】
印刷ヘッド１０ａ及びキャリッジ１０の下には、印刷媒体２の搬送面１ａの一部を形成するベッドユニット１２が設けられている。ベッドユニット１２には、印刷ヘッド１０ａと対向する部位よりも上流側に印刷媒体２を搬送する駆動ローラー１５が設けられており、駆動ローラー１５には上方からピンチローラー１６が離隔可能に当接されている。
【００１６】
印刷装置１には、ピンチローラー１６を駆動ローラー１５から離隔するための操作レバー(不図示)が、走査方向における一方側の端に設けられている。操作レバーは、上流側から操作可能に設けられている。
【００１７】
ベッドユニット１２の上流側には、ベッドユニット１２の搬送面１ａの上流側に印刷媒体２を案内する上流側ガイド１３が設けられている。上流側ガイド１３は、搬送面１ａの一部を形成する。ベッドユニット１２の下流側には、ベッドユニット１２の搬送面１ａの下流側に印刷媒体２を案内する下流側ガイド１４が設けられている。下流側ガイド１４は、搬送面１ａの一部を形成する。ベッドユニット１２の搬送面１ａは水平面をなす。一方、上流側ガイド１３、及び、下流側ガイド１４の搬送面１ａは、ベッドユニット１２から離れるに連れて低くなるように形成されている。
【００１８】
ベッドユニット１２と上流側ガイド１３のとの境界部分の上方（搬送面１ａの上方）には、キャリッジ１０を案内するレール１７を備えたレールユニット１１が設けられている。レールユニット１１は、印刷装置１の筐体１ｂに、走査方向に沿って掛け渡された架設フレーム１８と、架設フレーム１８の下流側に設けられたレール１７と、を有している。
【００１９】
架設フレーム１８は、曲げ加工が施された２つの鋼板製のフレーム１８１、１８２が接合されて構成されている。以下の説明では、２つのフレーム１８１、１８２の一方を下流側に位置する下流フレーム１８１と、他方を上流側に位置する上流フレーム１８２と、称する。
【００２０】
下流フレーム１８１は、天板部１８１ａ、底板部１８１ｂ、下流側壁部１８１ｃ、及び底板延出部１８１ｄを有する。天板部１８１ａ及び底板部１８１ｂは、上下方向に互いに間隔を隔てて設けられている。下流側壁部１８１ｃは、天板部１８１ａと底板部１８１ｂとの下流側の端部同士を連結する。底板延出部１８１ｄは、底板部１８１ｂの上流側の縁から上方に延出している。底板延出部１８１ｄの上流側の面は天板部１８１ａの上流側の縁より下流側に位置している。
【００２１】
上流フレーム１８２は、対面接合部１８２ａ、上流延出部１８２ｂ、上流側壁部１８２ｃ、及び上流接合部１８２ｄを有する。対面接合部１８２ａは、底板延出部１８１ｄの上流側の面に対面されて接合される。上流延出部１８２ｂは、対面接合部１８２ａの上縁から上流側に延出している。上流側壁部１８２ｃは、上流延出部１８２ｂの上流側の縁から上方に延出され下流側壁部１８１ｃと搬送方向に間隔を隔てて対面する。上流接合部１８２ｄは、上流側壁部１８２ｃの上縁から下流側に延出され天板部１８１ａの上流側の端部上にて接合される。
【００２２】
下流フレーム１８１と上流フレーム１８２とは、接合された状態で走査方向に貫通する中空部１８ａを形成しており、対面接合部１８２ａは、底板部１８１ｂよりも下方に突出している。
【００２３】
印刷装置１にて印刷する際には、まず、ピンチローラー１６を駆動ローラー１５から離隔した状態で、印刷媒体２の先端が印刷領域よりも十分に下流側に位置するように配置する。その後、ピンチローラー１６の離隔状態を解除して駆動ローラー１５とピンチローラー１６にて印刷媒体２を挟持した状態（本押さえ）とすることにより、搬送面１ａ上に印刷媒体２をセットする必要がある。このとき、特に幅が広く大判の印刷媒体２は、自重により搬送面１ａから滑り落ちやすく、また、離隔状態の駆動ローラー１５とピンチローラー１６との間に差し込み難く、搬送面１ａ上の適切な位置にセットすることが難しい。
【００２４】
そこで、搬送面１ａに印刷媒体２をセットする際、本実施形態に係る押さえ具３を用いて印刷媒体２の仮押さえを行う。「仮押さえ」は、印刷媒体２が搬送方向の下流側に移動できるが、搬送方向の上流側には移動できない状態とすることをいう。
【００２５】
＝＝押さえ具＝＝
図５及び図６に示すように、本実施形態の押さえ具３は、取付部材４、揺動部材５、揺動軸６、及び引張コイルばね７（付勢部材）を有する。取付部材４は、印刷装置１の構造体としての架設フレーム１８に取り外し可能に上流側から取り付けられる。揺動部材５は、取付部材４に軸支され、所定の位置の間で揺動する。揺動軸６は、取付部材４に揺動部材５を揺動可能に支持する。引張コイルばね７は、一端が取付部材４に係止され、他端が揺動部材５に係止される。
【００２６】
取付部材４は、揺動部材５が支持される本体部材４１と、本体部材４１に固定される磁石ユニット４２とを有している。
【００２７】
本体部材４１は、一対の本体側壁部４１ａ、本体連結部４１ｂ、及び本体上延出部４１ｃを有する。一対の本体側壁部４１ａは、走査方向に互いに間隔を空けて対向するよう設けられている。本体連結部４１ｂは、本体側壁部４１ａの下流側の縁を連結する。本体上延出部４１ｃは、本体連結部４１ｂの上縁から上流側に延出している。
【００２８】
本体側壁部４１ａの上流側の部位には、下方が開放されて上部が円弧状をなすＵ字状の切欠部４１ｄが設けられている。本体側壁部４１ａの下流側の部位には、本体連結部４１ｂよりも下流側に延出した本体下流延出部４１ｅが設けられている。本体下流延出部４１ｅの下流側の端部には、上方に突出する本体突起４１ｆが設けられている。
【００２９】
また、本体上延出部４１ｃには、一対の本体側壁部４１ａ間におけるほぼ中央に引張コイルばね７の一方の端部をなすフック７ａが係止される係止孔４１ｇが設けられている。本体連結部４１ｂには、下流側の面に磁石ユニット４２が固定されている。
【００３０】
磁石ユニット４２は、直方体状の磁石４３と、磁石４３が貼り付けられ本体連結部４１ｂに固定される磁石固定金具４４とを有している。磁石固定金具４４は、磁石４３が貼り付けられ本体連結部４１ｂにビス止めされる固定板部４４ａと、固定板部４４ａの上下の縁から下流側にそれぞれ延出された上延出片４４ｂ及び下延出片４４ｃとを有している。上延出片４４ｂ及び下延出片４４ｃの固定板部４４ａからの延出量は等しく、固定板部４４ａに貼り付けられる磁石４３の搬送方向における厚みよりも僅かに大きく形成されている。このため、押さえ具３が磁石４３により架設フレーム１８に取り付けられる際には、上延出片４４ｂ及び下延出片４４ｃの先端が架設フレーム１８の対面接合部１８２ａに当接され、押さえ具３は対面接合部１８２ａの平面に対して傾くことなく取り付けられる。
【００３１】
揺動軸６は、円筒状の頭部６ａと、ねじ部６ｂと備えた特殊ねじである。頭部６ａの先端には六角形状の窪みをなし六角レンチが挿入されるレンチ穴６ｃを有し、頭部６ａの周面には、頭部６ａの直径より小径に形成され周方向に繋がった周溝部６ｄが設けられている。周溝部６ｄの溝幅は、本体側壁部４１ａの板厚よりも僅かに広く、周溝部６ｄにおける直径は、本体側壁部４１ａに設けられた切欠部４１ｄの円弧の直径より僅かに小さく構成されている。
【００３２】
揺動部材５は、一対の揺動側壁部５ａ、揺動連結部５ｂ、揺動上延出部５ｃ、及び揺動下延出部５ｄを有する。一対の揺動側壁部５ａは、走査方向に互いに間隔を空けて対向するよう設けられている。揺動連結部５ｂは、揺動側壁部５ａの上流側の縁を連結する。揺動上延出部５ｃは、揺動連結部５ｂの上縁から上流側に延出している。揺動下延出部５ｄは、揺動連結部５ｂの下縁から下流側に延出している。
【００３３】
２つの揺動側壁部５ａの外面間の間隔（揺動部材５の走査方向における幅）は、本体部材４１の２つの本体側壁部４１ａの対向する面間の間隔より広く形成されている。２つの揺動側壁部５ａには各々、揺動軸６のねじ部６ｂが挿入される軸挿入孔５ｅが設けられている。軸挿入孔５ｅは、揺動側壁部５ａの上端側に配置されている。各軸挿入孔５ｅは、互いに対向する側に突出するバーリング加工が施されている。揺動軸６は、ねじ部６ｂが軸挿入孔５ｅに螺合されている。揺動軸６は、ねじ部６ｂの直径より僅かに大きく形成された軸挿入孔５ｅに回動自在に挿入されていても良く、この場合には、ねじ溝は形成されていないピンであっても構わない。
【００３４】
揺動連結部５ｂの下端側には、一対の揺動側壁部５ａ間におけるほぼ中央に位置させて、係止孔５ｆが設けられている。係止孔５ｆは、引張コイルばね７の他方の端部をなすフック７ａが係止される。また、揺動連結部５ｂの中央部分には、矩形状の長孔５ｇが設けられている。長孔５ｇは、係止孔５ｆの上側の部位から揺動上延出部５ｃの下流側の端部に繋がって、引張コイルばね７のフック７ａが挿通される。
【００３５】
揺動下延出部５ｄの下面には、走査方向に並べて配置される２つの押さえ部材８が取り付けられている。押さえ部材８は、印刷媒体２に接触する接触部をなす。押さえ部材８は、例えばゴムなどの軟質の樹脂により形成されている。押さえ部材８は、先端に平面８ａを有し、周囲に湾曲部８ｂを有するドーム状をなしている。押さえ部材８は、揺動下延出部５ｄに対して下方に突出するよう取り付けられている。
【００３６】
押さえ具３は、２つの本体側壁部４１ａ間に、揺動軸６及び押さえ部材８が取り付けられた揺動部材５が挿入されて組み合わされている。このとき、揺動側壁部５ａに取り付けられた揺動軸６の周溝部６ｄに、本体側壁部４１ａに設けられたＵ字状の切欠部４１ｄの縁が挿入され、且つ取付部材４の係止孔４１ｇ及び揺動部材５の係止孔５ｆに引張コイルばね７のフック７ａが係止されることにより、揺動軸６の周溝部６ｄが切欠部４１ｄの円弧部分に当接される。この状態において、揺動部材５は、揺動軸６を中心に引張コイルばね７に付勢されつつ揺動可能である。
【００３７】
＝＝構造体に取り付けられた押さえ具＝＝
図３及び図４に示すように、本実施形態に係る押さえ具３は、印刷装置１の架設フレーム１８に取り付けられる。具体的には、図７、図８に示すように、押さえ具３は、取付部材４の本体下流延出部４１ｅの上縁が、架設フレーム１８の対面接合部１８２ａの下縁に当接され、本体突起４１ｆが対面接合部１８２ａの下流側に配置された状態で磁石ユニット４２の上延出片４４ｂ及び下延出片４４ｃの先端が対面接合部１８２ａに当接される結果、磁力により架設フレーム１８に取り付けられる。
【００３８】
架設フレーム１８に取り付けられた押さえ具３は、揺動部材５の揺動上延出部５ｃを上下方向に操作することにより、揺動部材５を揺動させることが可能である。このとき、印刷媒体２が無い状態では、押さえ部材８が上流側ガイド１３の搬送面１ａに当接される状態と離隔した状態とに変更可能である。また、印刷媒体２が有る状態では、印刷媒体２を搬送面１ａ上に仮押さえした保持状態と、押さえ部材８が印刷媒体２及び搬送面１ａから離隔されて保持状態が解除される解除状態とに変更可能である。本実施形態においては、揺動上延出部５ｃが操作部に相当する。
【００３９】
揺動上延出部５ｃを下方に移動した場合、図７に示すように、揺動軸６に沿う方向（図７において紙面と直交する方向）から見たときに、引張コイルばね７の両端のフック７ａが係止されている係止点Ｐ１を結ぶ直線Ｌが、揺動軸６の中心Ｐ０より下流側に位置するため、揺動部材５の下端側が下流側に引っ張られる。このとき、引張コイルばね７により引っ張られた状態で、揺動側壁部５ａの縁が本体連結部４１ｂの下縁に当接されることにより、解除状態が維持される。このときの揺動部材５の位置が解除位置に相当する。
【００４０】
一方、揺動上延出部５ｃを上方に移動した場合、図８に示すように、揺動軸６に沿う方向から見たときに、直線Ｌが、揺動軸６の中心Ｐ０より上流側に位置するため、揺動部材５の下端側が上流側に引っ張られる。このとき、押さえ具３は、単体であれば、揺動上延出部５ｃと揺動連結部５ｂとの間の曲げ部が本体上延出部４１ｃの上流の端に当接する位置まで揺動可能に設定されている。
【００４１】
図７から図８の状態に変化するとき、揺動部材５は、揺動軸６を中心として揺動する。この際、押さえ部材８の軌道Ｋは、図９に示すように、押さえ部材８が、搬送面１ａに対して、下流側の搬送面１ａより僅かに高い位置から上流側の搬送面１ａより僅かに低い位置に向かう弧をなしている。このため、揺動部材５が、解除状態から上流側に揺動する際に、押さえ部材８は、揺動部材５の揺動に伴って搬送面１ａに近づいていく。そして、揺動軸６から搬送面１ａまでの距離が、揺動軸６から押さえ部材８の表面までの距離より短くなる位置で、揺動部材５は上流側への移動ができなくなり、保持状態となる。このときの揺動部材５の位置が押さえ位置に相当する。
【００４２】
また、保持状態にあっても、揺動部材５は、取付部材４とは接触していないので、揺動部材５は、引張コイルばね７により上流側に移動すべく付勢され続けている。この付勢力により、押さえ部材８が搬送面１ａ側に押圧された状態が維持されている。
【００４３】
ここで、保持状態の揺動部材５が下流側に揺動する際には、押さえ部材８は搬送面１ａから離れる方向に移動するので、下流側への揺動は許容される。すなわち、揺動部材５は、直線Ｌが、揺動軸６の中心Ｐ０より上流側に位置する状態では、引張コイルばね７により上流側に付勢されつつ下流側への揺動が許容されている。また、保持状態において、揺動部材５が上流側に揺動しようとする場合には、押さえ部材８が搬送面１ａを押圧するように作用するため、揺動部材５は上流側には揺動できない。このため、押さえ部材８が当接されて搬送面１ａ上に仮押さえされた印刷媒体２は、上流側には移動しない。一方、直線Ｌが、揺動軸６の中心より下流側に移動したときに、引張コイルばね７により揺動部材５が下流側に引っ張られ、解除位置に移動されて解除状態となるように構成されている。
【００４４】
＝＝印刷装置に印刷媒体をセットする際の作業＝＝
押さえ具３を用いて搬送面１ａに印刷媒体２をセットする場合、印刷装置１の使用者は、まず、ピンチローラー１６を駆動ローラー１５から離隔し、架設フレーム１８に押さえ具３を取り付ける。このとき、揺動上延出部５ｃを下方に移動して揺動部材５を解除位置に配置することにより、押さえ部材８を搬送面１ａから離隔しておく。また、この際、押さえ具３は、走査方向において、ピンチローラー１６を駆動ローラー１５から離隔するための操作レバーが設けられている側（以下、レバー側という）とは反対の側（以下、反レバー側という）に寄せて取り付けておく。
【００４５】
使用者は、搬送方向における上流側に立ち、印刷媒体２を上流側ガイド１３に沿わせ、印刷媒体２の先端を搬送面１ａと押さえ具３との間に差し込む。このとき、まず、使用者は、反レバー側に立ち、印刷媒体２の反レバー側の端部を先に差し込む。
【００４６】
次に、使用者は、レバー側に移動し、一方の手で印刷媒体２を搬送面１ａ側に押さえつつ、他方の手で、揺動上延出部５ｃを上方に移動して印刷媒体２を仮押さえする。このとき、本体突起４１ｆが対面接合部１８２ａの下流側に配置されているので、揺動上延出部５ｃが想定以上に強い力で上方に移動されたとしても、本体突起４１ｆが対面接合部１８２ａに引掛かって押さえ具３が外れることはない。また、押さえ具３を反レバー側に寄せて取り付けておくことにより、印刷媒体２の幅方向における両端部を差し込んだ後には、直後に操作するレバーが備えられている側に立っている。このため、押さえ具３は、反レバー側に寄せて取り付けておくことが望ましい。
【００４７】
その後、使用者は、印刷媒体２のレバー側の端部を押さえ、印刷媒体２の傾きを正しつつ下流側に送り、ピンチローラー１６と駆動ローラー１５との間を通す。この際、幅の広い印刷媒体２は、幅方向の一方側が押さえ部材８により一点で仮押さえされているので、押さえ部材８を中心として回転することができる。また、押さえ部材８により仮押さえされている印刷媒体２は、上流側には移動しないので、搬送面１ａから滑り落ちることはない。このため、使用者は、印刷媒体２を搬送面１ａ上に保持することに注意を払うことなく、印刷媒体２を下流側に送りつつ搬送面１ａ上で回転させて傾きを容易に正すことができる。そして、使用者は、印刷媒体２の先端がピンチローラー１６及び駆動ローラー１５よりも十分に下流側に位置するまで印刷媒体２を下流側に送る。
【００４８】
最後に、使用者は、一方の手で印刷媒体２のレバー側の部位を搬送面１ａ側に押さえつつ、他方の手で操作レバーを操作し、印刷媒体２をピンチローラー１６と駆動ローラー１５とで挟持させる。このような作業により印刷装置１に対する印刷媒体２のセットが完了する。
【００４９】
その後、印刷動作を実行する。このとき、押さえ具３は、取り外しても、解除状態として取り付けておいてもよいし、また、保持状態のまま印刷しても構わない。
【００５０】
このように本実施形態に係る押さえ具３は、搬送面１ａ上の印刷媒体２を仮押さえする。押さえ具３は、印刷媒体２を仮押さえした保持状態と、保持状態が解除された解除状態と、を変更可能な揺動上延出部５ｃ（操作部）を有する。押さえ具３は、搬送面１ａの上方に設けられる架設フレーム１８（構造体）に取り外し可能に取り付けられる。従って、揺動上延出部５ｃを操作することにより、印刷媒体２の保持状態と印刷媒体２の解除状態とを簡易に変更することが可能である。そのため、印刷媒体２のサイズや状態に応じて、押さえ具３を架設フレーム１８の所望な位置に取り付けた状態で、印刷媒体２の保持状態と印刷媒体２の解除状態とを簡易に変更できる。よって、大判の印刷媒体であっても、印刷装置１に対して簡易にセットすることが可能となる
【００５１】
また、押さえ具３は、付け替えることにより印刷媒体２を仮押さえする位置を自由に設定できる。このため、複数種類の印刷媒体２の幅を考慮して印刷装置１に印刷媒体２を仮押さえする部材を複数設けておく必要がない。すなわち、セットする印刷媒体２のサイズ等に合わせて必要最小限の押さえ具３を取り付ければよい。このため、印刷媒体２の先端を挿通させる隙間の箇所が少ないので、印刷媒体２がより挿通しやすい。また、搬送面１ａに押厚される箇所も少ないので、印刷媒体２の位置調整をする際の摩擦抵抗が小さい。このため、搬送面１ａ上において印刷媒体２を容易に位置調整することが可能である。
【００５２】
また、本実施形態の押さえ具３は、架設フレーム１８（構造体）に取り外し可能に取り付けられる取付部材４と、揺動部材５と、引張コイルばね７（付勢部材）とを備えている。揺動部材５は、取付部材４に揺動軸６を介して支持されており、揺動上延出部５ｃ（操作部）により、印刷媒体２を仮押さえした仮押さえ位置と、保持状態の解除された解除位置との間で揺動可能である。引張コイルばね７は、揺動部材５及び取付部材４の間に介設され、保持状態又は解除状態のいずれか一方の状態を維持すべく力を付勢する。そして、本実施形態の揺動部材５は押さえ部材８（接触部）を備えている。押さえ部材８は、揺動部材５が解除状態のときに一方へ揺動することにより印刷媒体２から離間するとともに、揺動部材５が保持状態のときに他方へ揺動することにより印刷媒体２と接触するように構成されている。このとき、引張コイルばね７が保持状態又は解除状態のいずれか一方の状態を維持すべく力を付勢しているため、押さえ部材８が印刷媒体２から離間した状態、または押さえ部材８が印刷媒体２を押さえた状態のいずれか一方を維持することができ、印刷媒体２の仮押さえの操作性に優れ、印刷媒体２を印刷装置にセットしやすくなる。
【００５３】
また、解除状態と保持状態とを変更した後には、揺動部材５及び取付部材４の間に介設された引張コイルばね７により、保持状態又は解除状態を維持することが可能である。このため、保持状態とした後には、使用者は、両手で位置調整をして印刷媒体２をセットすることができる。または、解除状態とした後には、揺動上延出部５ｃから手を離して両手で印刷媒体２を取り外すことが可能である。
【００５４】
また、本実施形態の付勢部材は、一端が取付部材４に係止され、他端が揺動部材５に係止される引張コイルばね７である。また、揺動軸６の軸方向から見て、引張コイルばね７の両端が係止されている２点Ｐ１を結ぶ直線Ｌは、保持状態では揺動軸６よりも押さえ位置側に位置し、解除状態では揺動軸６よりも解除位置側に位置する。このため、引張コイルばね７の付勢力により保持状態と解除状態との位置を切り替えることが可能である。
【００５５】
具体的に、押さえ具３は、揺動部材５が、解除状態から上流側に揺動する際には、揺動部材５の揺動に伴って押さえ部材８が搬送面１ａに近づき、揺動軸６から搬送面１ａまでの距離が、揺動軸６から押さえ部材８の表面までの距離より短くなる位置で、揺動部材５は上流側への移動ができなくなり保持状態となる。この保持状態でも、引張コイルばね７は、揺動部材５を上流側に移動すべく付勢しているので、この付勢力により、印刷媒体２は搬送面１ａと押さえ部材８との間に挟持されている。
【００５６】
このため、印刷媒体２の自重等によって印刷媒体２が搬送方向とは逆の上流側に移動しようとするときには、押さえ部材８が印刷媒体２を搬送面１ａに押圧する方向に揺動するので保持力が高くなる。従って、印刷媒体２が搬送方向と逆方向に移動しようとする場合であっても、印刷媒体２を搬送面１ａ上に保持しておくことが可能である。
【００５７】
また、この保持状態から揺動部材５が下流側に揺動する際には、揺動軸６から搬送面１ａまでの距離が広がる方向への移動となるので、揺動部材５の揺動は許容される。すなわち、保持状態においては、揺動部材５の上流側への揺動は規制されており、下流側への揺動は許容されている。
【００５８】
このため、印刷媒体２の先端を搬送面１ａと押さえ具３との間に差し込み仮押さえした後に、印刷媒体２を下流側に移動する際には、印刷媒体２と接触している押さえ部材8を備えた揺動部材5は、下流側に揺動する。このため、印刷媒体２の先端がピンチローラー１６及び駆動ローラー１５よりも十分に下流側に位置するように印刷媒体２を下流側に送りつつ傾きを正して印刷媒体２をセットすることが可能である。このとき、印刷媒体２は、上流側には移動しないので、使用者は、印刷媒体２を手で常に保持する必要はなく、また、両手を使って印刷媒体２を適切な姿勢及び位置に容易にセットすることが可能である。
【００５９】
また、取付部材４は、架設フレーム１８（構造体）に対して磁石４３により取り付けられる。このため、架設フレーム１８に対する押さえ具３の着脱がより容易となる。また、印刷媒体２を搬送面１ａに配置している状態であっても所望の位置に容易に付け替えることが容易である。
【００６０】
このような押さえ具３は、複数種類の異なる印刷装置に付け替えて使用しても良いし、各印刷装置に各々設けて押さえ具３を含めた印刷装置としても構わない。
【００６１】
上記実施形態においては、押さえ具３を１つ用いて印刷媒体２をセットする例について説明したが、印刷媒体２の幅等に応じて、適宜複数の押さえ具３を用いても構わない。
【００６２】
上記実施形態においては、付勢部材として引張コイルばね７を用いた例に挙げて説明したが、これに限らず、取付部材４と揺動部材５とに係止され、保持状態では印刷媒体２を搬送面１ａ側に付勢し、また、付勢力により保持状態と解除状態とを維持することが可能な付勢部材であれば構わない。
【００６３】
上記実施形態においては、操作部として揺動部材５に揺動上延出部５ｃを設けた例について説明したが、揺動部材５の揺動側壁部５ａを摘まんで揺動させることも可能なので、揺動側壁部５ａを操作部とし揺動上延出部５ｃは設けられていなくとも構わない。
また、印刷装置１に配置される印刷媒体２としては、ロール紙や単票用紙でも良いし、紙以外の媒体でも構わない。
【００６４】
また、本発明にかかる押さえ具３は、インクジェット方式の印刷装置１に限らず、その他の方式の印刷装置及びプロッターなどの記録装置に媒体を配置する場合にも用いることが可能である。
【００６５】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００６６】
１  印刷装置、１ａ  搬送面、２  印刷媒体、３  押さえ具、４  取付部材、
５  揺動部材、５ｃ  揺動上延出部、６  揺動軸、７  引張コイルばね、
８  押さえ部材、１１  レールユニット、１８  架設フレーム、４３  磁石、
Ｌ  引張コイルばねの両端が係止されている係止点を結ぶ直線、
【図１】
2019167180.tif 000003
【図２】
2019167180.tif 000004
【図３】
2019167180.tif 000005
【図４】
2019167180.tif 000006
【図５】
2019167180.tif 000007
【図６】
2019167180.tif 000008
【図７】
2019167180.tif 000009
【図８】
2019167180.tif 000010
【図９】
2019167180.tif 000011